(57)【特許請求の範囲】
【請求項１】
電球と、
前記電球が取り付けられるソケットと、
前記電球の落下を抑制するワイヤと、
を備える照明装置であって、
前記電球は、
本体部と、
前記本体部に取り付けられる口金と、
前記本体部に設けられて前記口金の周囲を覆う保護部材と、
前記ワイヤが取り付けられ、前記本体部および前記保護部材のうち少なくともいずれか一方に取り付けられる電球側ワイヤ取付部と、
を備え、
前記電球側ワイヤ取付部が、前記本体部および前記保護部材に対して相対回転可能に取り付けられていることを特徴とする照明装置。
【請求項２】
前記電球側ワイヤ取付部が前記保護部材に相対回転可能に取り付けられていることを特徴とする請求項１に記載の照明装置。
【請求項３】
前記電球側ワイヤ取付部は、当該電球側ワイヤ取付部が取り付けられる部位に形成された円周状の溝に沿って相対回転する電球側取付部本体と、前記電球側取付部本体に設けられて前記ワイヤが固定される電球側ワイヤ固定部と、を備えていることを特徴とする請求項１または請求項２に記載の照明装置。
【請求項４】
前記電球側取付部本体が円環状をしており、前記電球側取付部本体の少なくとも内周側が前記溝内に収容されていることを特徴とする請求項３に記載の照明装置。
【請求項５】
前記ソケットは、ソケット本体と、前記ソケット本体に設けられて前記口金が取り付けられる受け口と、を備えており、
前記保護部材は、前記口金を前記受け口に取り付けた状態で、前記ソケット本体の外周を覆うことを特徴とする請求項１〜４のうちいずれか１項に記載の照明装置。
【請求項６】
前記保護部材は、前記口金を覆う筒状部を備えており、
前記口金は、前記本体部側から先端まで前記筒状部の内側に収容されていることを特徴とする請求項１〜５のうちいずれか１項に記載の照明装置。
【請求項７】
前記保護部材が、前記本体部とは別体に形成されていることを特徴とする請求項１〜６のうちいずれか１項に記載の照明装置。
【請求項８】
前記保護部材が前記本体部に着脱可能に取り付けられていることを特徴とする請求項７に記載の照明装置。
【請求項９】
本体部と、
前記本体部に取り付けられる口金と、
前記本体部に設けられて前記口金の周囲を覆う保護部材と、
ワイヤが取り付けられ、前記本体部および前記保護部材のうち少なくともいずれか一方に取り付けられる電球側ワイヤ取付部と、
を備え、
前記電球側ワイヤ取付部が、前記本体部および前記保護部材に対して相対回転可能に取り付けられていることを特徴とする電球。
【請求項１０】
請求項１〜８のうちいずれか１項に記載の照明装置で用いられる電球。
【請求項１１】
アダプタ本体と、
前記アダプタ本体に取り付けられ、ソケットの受け口に取り付けられるアダプタ側口金と、
前記アダプタ本体に形成され、電球の口金が取り付けられるアダプタ側受け口と、
前記アダプタ本体に設けられて前記アダプタ側口金の周囲を覆うアダプタ側保護部材と、
ワイヤが取り付けられ、前記アダプタ本体および前記アダプタ側保護部材のうち少なくともいずれか一方に取り付けられるアダプタ側ワイヤ取付部と、
を備え、
前記アダプタ側ワイヤ取付部が、前記アダプタ本体および前記アダプタ側保護部材に対して相対回転可能に取り付けられていることを特徴とするアダプタ。
【請求項１２】
請求項１１に記載のアダプタと、
前記アダプタに取り付けられる電球と、
前記アダプタが取り付けられるソケットと、
前記アダプタの落下を抑制するワイヤと、
を備えることを特徴とする照明装置。
【発明の詳細な説明】
【技術分野】
【０００１】
本発明は、照明装置、電球およびアダプタに関する。
【背景技術】
【０００２】
従来、照明装置として、光源を有する電球と、電球が取り付けられるソケットと、を備えるものが知られている。
【０００３】
この特許文献１では、電球の口金をソケットにねじ込むことで、電球がソケットに装着されるようにしている。
【０００４】
さらに、この特許文献１では、ソケットがコードを介して天井から吊り下げられている。そして、コードに連結されたワイヤを電球の本体部に固定することで、ソケットから外れた電球が床等に落下してしまうのを抑制できるようにしている。
【先行技術文献】
【特許文献】
【０００５】
【特許文献１】特開２０１３−２０６７５６号公報
【発明の概要】
【発明が解決しようとする課題】
【０００６】
しかしながら、上記従来の技術では、ワイヤが電球の本体部に固定されている。そのため、電球をソケットに装着したり、ソケットから取り外したりする際に、電球をソケットに対して相対回転させると、ワイヤが電球に絡まって口金に接触してしまう場合がある。
【０００７】
このように、上記従来の技術では、ソケットに取り付けられる部材にワイヤを固定することで、ソケットに取り付けられる部材が落下してしまうのが抑制されるようにしている。そのため、ソケットに取り付けられる部材にワイヤが絡まって、ソケットに取り付けられる口金にワイヤが接触してしまう場合がある。
【０００８】
そこで、本開示は、ソケットに取り付けられる部材の落下を抑制しつつ、ソケットに取り付けられる口金にワイヤが接触してしまうのを抑制することのできる照明装置、電球およびアダプタを得ることを目的とする。
【課題を解決するための手段】
【０００９】
本開示にかかる照明装置は、電球と、前記電球が取り付けられるソケットと、前記電球の落下を抑制するワイヤと、を備えている。
【００１０】
そして、前記電球は、本体部と、前記本体部に取り付けられる口金と、前記ワイヤが取り付けられるワイヤ取付部と、前記本体部に設けられて前記口金の周囲を覆う保護部材と、を備えている。
【００１１】
また、本開示にかかる電球は、本体部と、前記本体部に取り付けられる口金と、ワイヤが取り付けられるワイヤ取付部と、前記本体部に設けられて前記口金の周囲を覆う保護部材と、を備えている。
【００１２】
また、本開示にかかるアダプタは、アダプタ本体と、前記アダプタ本体に取り付けられ、ソケットの受け口に取り付けられるアダプタ側口金と、前記アダプタ本体に形成され、電球の口金が取り付けられるアダプタ側受け口と、を備えている。
【００１３】
さらに、アダプタは、前記アダプタ本体に設けられて前記アダプタ側口金の周囲を覆うアダプタ側保護部材と、ワイヤが取り付けられ、前記アダプタ本体および前記アダプタ側保護部材のうち少なくともいずれか一方に取り付けられるアダプタ側ワイヤ取付部と、を備えている。
【００１４】
そして、前記アダプタ側ワイヤ取付部が、前記アダプタ本体および前記アダプタ側保護部材に対して相対回転可能に取り付けられている。
【発明の効果】
【００１５】
本開示によれば、ソケットに取り付けられる部材の落下を抑制しつつ、ソケットに取り付けられる口金にワイヤが接触してしまうのを抑制することのできる照明装置、電球およびアダプタを得ることができる。
【図面の簡単な説明】
【００１６】
【図１】第１実施形態にかかる照明装置を示す図であって、電球がソケットに取り付けられている状態を一部透視して示す側面図である。
【図２】第１実施形態にかかる照明装置を示す図であって、電球がソケットに取り付けられていない状態を一部透視して示す側面図である。
【図３】第１実施形態にかかる電球を分解して示す側面図である。
【図４】第１実施形態にかかる電球側ワイヤ固定部の本体部への取付方法を説明する図である。
【図５】第１実施形態にかかる電球の本体部を円周状の溝に沿って切断した状態を模式的に示す図である。
【図６】第１実施形態にかかる電球を示す図であって、本体部から保護部材を取り外した状態を一部透視して示す側面図である。
【図７】第２実施形態にかかる照明装置を示す図であって、電球がアダプタに取り付けられておらず、アダプタがソケットに取り付けられていない状態を一部透視して示す側面図である。
【発明を実施するための形態】
【００１７】
以下、本実施にかかる照明装置について、図面を参照しながら説明する。なお、以下では、照明装置として家屋の天井等から吊り下げられて電球が空間に露出する天井吊りの露出型照明装置を例示する。
【００１８】
また、以下の複数の実施形態には、同様の構成要素が含まれている。よって、以下では、それら同様の構成要素には共通の符号を付与するとともに、重複する説明を省略する。
【００１９】
（第１実施形態）
本実施形態にかかる照明装置１０は、図１および図２に示すように、電球２０と、電球２０が取り付けられるソケット３０と、を備えている。
【００２０】
ソケット３０は、様々な場所に固定することができ、例えば、屋内の天井から吊り下げられたコードや天井に固定されたブラケット等に固定することができる。なお、ソケット３０は、屋外の軒等にコードやブラケット等を介して固定することも可能である。そして、このソケット３０には電球２０が着脱可能に取り付けられている。
【００２１】
さらに、本実施形態では、照明装置１０は、電球２０の落下を抑制するワイヤ４０を備えている。具体的には、ワイヤ４０の電球側取付部（一端）４１０を電球２０に取り付け、相手側取付部（他端）を天井やソケット３０が固定されるコード等に取り付けることで、ソケット３０から外れた電球２０がワイヤ４０によって吊り下げられるようにしている。なお、ワイヤ４０の相手側取付部（他端）をソケット３０に固定することも可能である。このように、ソケット３０から外れた電球２０をワイヤ４０によって吊り下げることで、ソケット３０から外れた電球（ソケット３０に取り付けられる部材）２０が床等に落下してしまうのを抑制できるようにしている。このようなワイヤ４０としては、例えば、金属製のワイヤを用いることができる。
【００２２】
電球２０は、図１〜図４に示すように、本体部２１０と、本体部２１０に取り付けられる口金２２０と、ワイヤ４０が取り付けられる電球側ワイヤ取付部５０と、を備えている。
【００２３】
本体部２１０は、下側（ソケット３０とは反対側）から上側（ソケット３０側）に向かうにつれて縮径する略筒状に形成されている。すなわち、本体部２１０は、中空を有する略円錐台形状に形成されている。この本体部２１０は、熱伝導性を有する樹脂（例えば、ポリブチレンテレフタレート等）やセラミック等で形成することができる。なお、金属（例えば、アルミニウム等）を用いて本体部２１０を形成することも可能であるし、一部を樹脂やセラミック等で形成しつつ他の部位を金属で形成することも可能である。
【００２４】
そして、本体部２１０の下側には光源２３０が設けられており、本体部２１０の上側には口金２２０が取り付けられている。
【００２５】
口金２２０は、略円筒形状をしており外周面に雄ネジ部２２１ａが形成されているシェル２２１と、シェル２２１に絶縁部２２２を介して装着されるアイレット２２３と、を備えている。
【００２６】
光源２３０は、発光素子としてのＬＥＤチップを用いて形成することができる。例えば、ＬＥＤチップを基板に実装して形成した発光モジュールを本体部２１０の下側に取り付けることで、光源２３０を形成することができる。
【００２７】
そして、本体部２１０の中空部に回路ユニットを配置し、口金２２０を介して受電した電力が発光モジュールに供給される構成とすることができる。このとき、電球２０をソケット３０に取り付けていない状態では、シェル２２１とアイレット２２３とが電気的に接続されないようにしている。例えば、シェル２２１を、リード線を介して回路ユニットおよび発光モジュールに接続させるとともに、アイレット２２３を、シェル２２１に接続されたリード線とは別のリード線を介して回路ユニットおよび発光モジュールに接続させることができる。こうすれば、電球２０をソケット３０に取り付けていない状態では、シェル２２１とアイレット２２３とが電気的に接続されていない状態とすることができる。
【００２８】
さらに、本実施形態では、本体部２１０の下端に、光透過性を有するドーム型のグローブ２４０が光源２３０を覆うように取り付けられている。このグローブ２４０は、透明のガラスや樹脂等を用いて形成することができる。また、半透明のガラスや樹脂等を用いてグローブ２４０を形成することもできる。
【００２９】
一方、ソケット３０は、ソケット本体３１０と、ソケット本体３１０に設けられて口金２２０が取り付けられる受け口３２０と、を備えている。
【００３０】
ソケット本体３１０は、例えば、耐熱性プラスチック等の絶縁材料を用いて形成することができ、長手方向（上下方向）の中程が仕切壁３１１によって仕切られた略円筒状をしている。
【００３１】
そして、このソケット本体３１０の下側には、下方に開口する凹部が形成されており、この凹部が受け口３２０となっている。
【００３２】
そして、この受け口３２０内には、口金２２０を受け口３２０に取り付けた際に、シェル２２１が接触するシェル受金３２１と、アイレット２２３が接触するアイレット接片３２３と、が取り付けられている。
【００３３】
シェル受金３２１は、シェル２２１の雄ネジ部２２１ａが螺合する筒状雌ネジ部３２１ａを有しており、ソケット本体３１０の仕切壁３１１に小ネジ３３１で固定されている。
【００３４】
一方、アイレット接片３２３は、短冊状の金属片を屈曲させた形状をしており、仕切壁３１１に小ネジ３３２で片持ち状態で固定されている。
【００３５】
そして、シェル受金３２１がリード線３３３を介して商用電源等の電源（図示せず）に接続されるとともに、アイレット接片３２３がリード線３３４を介して商用電源等の電源（図示せず）に接続されている。こうすることで、電球２０をソケット３０に取り付けていない状態では、シェル受金３２１とアイレット接片３２３とが電気的に接続されないようにしている。
【００３６】
本実施形態では、このような構成をした電球２０をソケット３０に対して一方向に相対回転させながら口金２２０を受け口３２０に挿入することで、電球２０がソケット３０に取り付けられるようにしている。
【００３７】
そして、電球２０をソケット３０に取り付ける過程では、まず初めに、シェル２２１の雄ネジ部２２１ａがシェル受金３２１の筒状雌ネジ部３２１ａに螺合されることとなる。
【００３８】
そして、シェル２２１の雄ネジ部２２１ａをシェル受金３２１の筒状雌ネジ部３２１ａに螺合させた状態で電球２０をさらに回転させると、アイレット２２３がアイレット接片３２３に接触することとなる。
【００３９】
このように、シェル２２１の雄ネジ部２２１ａをシェル受金３２１の筒状雌ネジ部３２１ａに螺合させつつ、アイレット２２３をアイレット接片３２３に接触させることで、シェル２２１とアイレット２２３とが電気的に接続されることとなる。さらに、シェル受金３２１とアイレット接片３２３とが電気的に接続されることとなる。
【００４０】
例えば、光源２３０を上述した構成とした場合、発光モジュールに接続される回路ユニットは、シェル２２１側のリード線、シェル２２１、シェル受金３２１、リード線３３３を介して商用電源等の電源の一方側に電気的に接続されることとなる。さらに、回路ユニットは、アイレット２２３側のリード線、アイレット２２３、アイレット接片３２３、リード線３３４を介して商用電源等の電源の他方側に電気的に接続されることとなる。
【００４１】
このように、回路ユニットに商用電源等の電源が電気的に接続されることで、回路ユニットに接続された発光モジュールに電力が供給されて、ＬＥＤチップを発光させることができるようになっている。
【００４２】
すなわち、本実施形態にかかる照明装置１０は、電球２０をソケット３０に取り付けることで、光源２３０に電力が供給されるようにし、光源２３０を発光させるものである。
【００４３】
一方、ソケット３０に取り付けられた電球２０をソケット３０に対して他方向（上記一方向とは逆の方向）に相対回転させれば、電球２０をソケット３０から取り外すことができる。
【００４４】
このように、本実施形態にかかる照明装置１０は、電球２０をソケット３０に対して相対回転させることで、電球２０をソケット３０に取り付けたり、電球２０をソケット３０から取り外したりすることができる構成となっている。
【００４５】
したがって、電球２０をソケット３０に装着したり、電球２０をソケット３０から取り外したりする際には、電球２０をソケット３０に対して相対回転させることとなる。
【００４６】
このとき、ワイヤ４０を通常の電球の本体部に単に固定しただけでは、ワイヤ４０は、他端が固定された状態で、一端４１０側が電球２０の回転に伴って回転するため、ワイヤ４０が電球２０に絡まってしまう場合がある。このように、ワイヤ４０が電球２０に絡まってしまうと、ワイヤ４０が口金２２０に接触してしまうことがある。そして、ワイヤ４０が口金２２０に接触した場合、口金２２０のシェル２２１とアイレット２２３とが短絡してしまうおそれがある。
【００４７】
そこで、本実施形態では、ワイヤ４０が口金（ソケット３０に取り付けられる口金）２２０に接触してしまうのを抑制できるようにした。
【００４８】
具体的には、本体部２１０に保護部材２６０を設け、この保護部材２６０によって口金２２０の周囲が覆われるようにした。
【００４９】
さらに、本実施形態では、保護部材２６０を本体部２１０とは別体に形成し、この保護部材２６０が本体部２１０に着脱可能に取り付けられるようにしている。
【００５０】
具体的には、保護部材２６０は、電球２０の本体部２１０に取り付けられる取付部２６２と、取付部２６２に連設されて、当該取付部２６２を本体部２１０に取り付けた状態で本体部２１０に取り付けられた口金２２０を覆う筒状部２６１と、を備えている。
【００５１】
このように、本実施形態では、口金２２０の周囲を筒状部２６１で覆うことで、電球２０に取り付けられたワイヤ４０が口金２２０に接触してしまうのを抑制できるようにしている。
【００５２】
取付部２６２の下部中央には、口金２２０が挿入される挿通孔２６３が形成されており、取付部２６２の内面（挿通孔２６３に臨む面）には、雌ネジ部２６２ａが形成されている。
【００５３】
そして、取付部２６２の上端の全周にわたって、略円筒状の筒状部２６１が連設されている。この筒状部２６１の内部空間は、挿通孔２６３に連通するとともに上方に開口している。
【００５４】
したがって、本実施形態にかかる保護部材２６０は、上下方向（電球２０のソケット３０への着脱方向）の両側が開口した略筒状をしている。
【００５５】
そして、本体部２１０の上部（口金２２０側）には雄ネジ部２１０ａが形成されており、この雄ネジ部２１０ａに取付部２６２の雌ネジ部２６２ａを螺合させることで、取付部２６２を本体部２１０に着脱可能に取り付けている。
【００５６】
なお、本体部２１０とは別体に形成された保護部材２６０を本体部２１０に着脱可能に取り付ける必要はなく、溶接や溶着等によって保護部材２６０を本体部２１０に一体化させることも可能である。また、保護部材２６０を本体部２１０に一体に形成することも可能である。
【００５７】
さらに、本実施形態では、筒状部２６１の内径がソケット本体３１０の外径よりも大きくなるようにしている。したがって、口金２２０を受け口３２０に取り付けた状態では、ソケット本体３１０の外周が保護部材２６０の筒状部２６１によって覆われるようになっている。
【００５８】
また、保護部材２６０を本体部２１０に取り付けた状態では、筒状部２６１の先端２６１ａが口金２２０の先端２２０ａよりも上方に位置するようになっている。すなわち、口金２２０の本体部２１０側から先端２２０ａまでの全ての部位が、筒状部２６１の内側に収容されるようにしている。
【００５９】
さらに、本実施形態では、ワイヤ４０が電球２０に絡まってしまうのを抑制できるようにしている。
【００６０】
具体的には、ワイヤ４０が取り付けられる電球側ワイヤ取付部５０を本体部２１０および保護部材２６０とは別体に設けている。
【００６１】
そして、電球側ワイヤ取付部５０が本体部２１０および保護部材２６０に対して相対回転できるように、電球側ワイヤ取付部５０を保護部材２６０に取り付けている。
【００６２】
本実施形態では、略板状の電球側ワイヤ取付部５０を保護部材２６０に相対回転可能に取り付けている。この電球側ワイヤ取付部５０は、例えば、樹脂や金属等の材料を用いて形成することができる。
【００６３】
さらに、本実施形態では、電球側ワイヤ取付部５０は、保護部材２６０に挿通される挿通孔５１１が形成された略円環状の電球側取付部本体５１０を備えている。なお、電球側取付部本体５１０は円環状に形成する必要はなく、一部が切り欠かれた略Ｃ字状となるようにすることも可能である。
【００６４】
そして、この電球側取付部本体５１０には、ワイヤ４０が固定される電球側ワイヤ固定部５２０が、径外方向に突出するように連設されている。
【００６５】
さらに、この電球側ワイヤ固定部５２０には貫通孔５２１が形成されており、この貫通孔５２１にワイヤ４０の端部（一端４１０）を挿通させて結びつけることで、ワイヤ４０を電球側ワイヤ固定部５２０に固定している。なお、ワイヤ４０の電球側ワイヤ固定部５２０への固定方法は、上記の方法に限られるものではなく、様々な方法で固定することができる。例えば、ワイヤ４０の端部（一端４１０）にフック部材を取り付け、当該フック部材を電球側ワイヤ固定部５２０の貫通孔５２１に引っ掛けて係合させるようにすることも可能である。
【００６６】
一方、保護部材２６０には、電球側ワイヤ取付部５０を相対回転可能に取り付ける被取付部２５０が形成されている。
【００６７】
本実施形態では、被取付部２５０は、電球側取付部本体５１０の挿通孔５１１に挿通される柱状部２５１と、柱状部２５１の下部から径外方向に突設されて、電球側ワイヤ取付部５０の下方への移動を規制する下側フランジ部２５２と、を備えている。
【００６８】
さらに、被取付部２５０は、柱状部２５１の上部に取り付けられ、電球側ワイヤ取付部５０の上方への移動を規制する上側フランジ部２５３を備えている。
【００６９】
そして、本実施形態では、柱状部２５１および下側フランジ部２５２は、保護部材２６０に一体に設けられており、上側フランジ部２５３は、保護部材２６０とは別体に設けられている。なお、柱状部２５１や下側フランジ部２５２を保護部材２６０とは別体に設けることも可能であるし、上側フランジ部２５３を保護部材２６０と一体に設けることも可能である。すなわち、上側フランジ部２５３、柱状部２５１および下側フランジ部２５２のそれぞれを、保護部材２６０と一体に形成することもできるし、保護部材２６０とは別体に形成することもできる。
【００７０】
さらに、本実施形態では、上側フランジ部２５３は、柱状部２５１の上部に着脱可能に取り付けられている。具体的には、上側フランジ部２５３は略円環状をしており、内面側に雌ネジ部２５３ａが形成されている。そして、柱状部２５１の上部には雄ネジ部２５１ａが形成されており、柱状部２５１の雄ネジ部２５１ａと上側フランジ部２５３の雌ネジ部２５３ａとを螺合させることで、上側フランジ部２５３が柱状部２５１の上部に取り付けられるようにしている。なお、上側フランジ部２５３の柱状部２５１への取付方法は、螺合に限られるものではなく、様々な方法を用いることができる。例えば、嵌合等により上側フランジ部２５３を柱状部２５１に着脱可能に取り付けることが可能である。
【００７１】
また、保護部材２６０とは別体に形成された上側フランジ部２５３を柱状部２５１に着脱可能に取り付ける必要はなく、溶接や溶着等によって上側フランジ部２５３を保護部材２６０に一体化させることも可能である。
【００７２】
そして、上側フランジ部２５３を柱状部２５１の上部に取り付けた際には、上側フランジ部２５３と下側フランジ部２５２との間に、円周状の溝２５４が全周にわたって形成されることとなる。そして、この溝２５４内に、電球側取付部本体５１０の少なくとも内周側が収容されるようになっている。
【００７３】
ここで、本実施形態では、柱状部２５１の溝２５４が形成される部位における外径が、電球側取付部本体５１０の挿通孔５１１の内径よりも小さくなるようにしている。すなわち、柱状部２５１の溝２５４が形成される部位における外面（溝２５４の奥面）と電球側取付部本体５１０の内面との間に隙間ｄが形成されるようにしている（図５参照）。
【００７４】
さらに、下側フランジ部２５２の外径および上側フランジ部２５３の外径が、電球側取付部本体５１０の挿通孔５１１の内径よりも大きくなるようにしている。
【００７５】
このような構成とすることで、電球側ワイヤ取付部５０を被取付部２５０に取り付けた際には、電球側取付部本体５１０が、溝２５４から抜けてしまうのが抑制された状態で、溝２５４に沿って相対回転することとなる。
【００７６】
なお、電球側ワイヤ取付部５０および被取付部２５０は、互いに接触した際に比較的大きな摩擦が生じてしまうのを抑制できるようにするのが好ましい。例えば、電球側ワイヤ取付部５０および被取付部２５０における少なくとも互いに接触可能な部位を、摩擦係数が比較的小さい材料を用いて形成するのが好ましい。こうすれば、電球側ワイヤ取付部５０および被取付部２５０が互いに接触した際に、比較的大きな摩擦が生じてしまうのが抑制されるため、電球側ワイヤ取付部５０を保護部材２６０に対してよりスムーズに相対回転させることができるようになる。
【００７７】
この電球側ワイヤ取付部５０は、例えば、下記の方法によって被取付部２５０に取り付けることができる。
【００７８】
まず、上側フランジ部２５３を柱状部２５１から取り外した状態で、電球側取付部本体５１０の挿通孔５１１を電球２０に口金２２０側から挿入する（図４参照）。
【００７９】
次に、上側フランジ部２５３の貫通孔を口金２２０側から挿入して、上側フランジ部２５３の雌ネジ部２５３ａを柱状部２５１の雄ネジ部２５１ａに螺合させて、上側フランジ部２５３を柱状部２５１の上部に取り付ける（図４の二点鎖線参照）。
【００８０】
こうして、電球側ワイヤ取付部５０が被取付部２５０に、抜け止めされた状態で相対回転可能に取り付けられる。
【００８１】
なお、電球側取付部本体５１０を、例えばゴム等の弾性変形可能な材料で形成し、上側フランジ部２５３を柱状部２５１に取り付けた状態で、電球側ワイヤ取付部５０を被取付部２５０に取り付けられるようにしてもよい。
【００８２】
このように、本実施形態では、ワイヤ４０を、電球側ワイヤ取付部５０を介して保護部材２６０に相対回転可能に取り付けている。こうすることで、電球２０のソケット３０への着脱の際に、電球２０をソケット３０に対して相対回転させたとしても、ワイヤ４０の一端４１０側が固定されている電球側ワイヤ取付部５０が本体部２１０および保護部材２６０に対して相対回転することとなる。このように、電球側ワイヤ取付部５０を本体部２１０および保護部材２６０に対して相対回転させるようにすると、電球２０のソケット３０への着脱の際には、電球２０における電球側ワイヤ取付部５０以外の部位のみがソケット３０に対して相対回転することとなる。すなわち、ワイヤ４０の一端４１０側が電球２０の回転に伴って回転してしまうのが抑制されることとなる。その結果、ワイヤ４０が電球２０（本体部２１０や保護部材２６０等）に絡まってしまうのを抑制することができるようになる。
【００８３】
なお、被取付部２５０を本体部２１０に設け、電球側ワイヤ取付部５０を本体部２１０に相対回転可能に取り付けるようにすることも可能である。
【００８４】
以上説明したように、本実施形態の照明装置１０は、電球２０と、電球２０が取り付けられるソケット３０と、電球（ソケット３０に取り付けられる部材）２０の落下を抑制するワイヤ４０と、を備えている。
【００８５】
また、電球２０は、本体部２１０と、本体部２１０に取り付けられる口金２２０と、本体部２１０に設けられて口金２２０の周囲を覆う保護部材２６０と、を備えている。
【００８６】
さらに、電球２０は、ワイヤ４０が取り付けられ、保護部材２６０（本体部２１０および保護部材２６０のうち少なくともいずれか一方）に取り付けられる電球側ワイヤ取付部５０を備えている。
【００８７】
そして、電球側ワイヤ取付部５０が、本体部２１０および保護部材２６０に対して相対回転可能に取り付けられている。
【００８８】
こうすることで、ワイヤ４０が口金２２０に接触してしまうのを抑制することができるようになる。さらに、電球２０のソケット３０への着脱の際に、電球２０における電球側ワイヤ取付部５０以外の部位のみをソケット３０に対して相対回転させることができるようになる。その結果、ワイヤ４０の一端４１０側が電球２０の回転に伴って回転してしまうのを抑制することができ、ワイヤ４０が電球２０（本体部２１０や保護部材２６０等）に絡まってしまうのを抑制することができるようになる。
【００８９】
そして、ワイヤ４０が電球２０に絡まってしまうことを抑制できるようにすれば、電球２０のソケット３０への着脱作業をより容易に行うことができるようになる。
【００９０】
また、ワイヤ４０が口金２２０に接触してしまうのを抑制できるようにすれば、口金２２０のシェル２２１とアイレット２２３とが短絡してしまうのを抑制することができるようになる。
【００９１】
また、本実施形態では、電球側ワイヤ取付部５０が保護部材２６０に相対回転可能に取り付けられている。
【００９２】
このように、電球側ワイヤ取付部５０が保護部材２６０に取り付けられるようにすることで、ワイヤ４０の口金２２０への接触を抑制する保護部材２６０が設けられた電球２０に、より容易に電球側ワイヤ取付部５０を取り付けることができるようになる。
【００９３】
また、本実施形態では、電球側ワイヤ取付部５０は、保護部材２６０の筒状部２６１（電球側ワイヤ取付部５０が取り付けられる部位）に形成された円周状の溝２５４に沿って相対回転する電球側取付部本体５１０を備えている。さらに、電球側ワイヤ取付部５０は、電球側取付部本体５１０に設けられてワイヤ４０が固定される電球側ワイヤ固定部５２０を備えている。
【００９４】
こうすれば、より簡素な構成で、電球側ワイヤ取付部５０を、本体部２１０および保護部材２６０に対して相対回転可能に取り付けることができる。
【００９５】
また、本実施形態では、電球側取付部本体５１０が円環状をしており、電球側取付部本体５１０の少なくとも内周側が溝２５４内に収容されている。
【００９６】
こうすれば、電球側ワイヤ取付部５０を、保護部材２６０に対してよりスムーズに相対回転させることができるようになる。
【００９７】
また、本実施形態では、ソケット３０は、ソケット本体３１０と、ソケット本体３１０に設けられて口金２２０が取り付けられる受け口３２０と、を備えている。
【００９８】
そして、保護部材２６０が、口金２２０を受け口３２０に取り付けた状態で、ソケット本体３１０の外周を覆うようにしている。
【００９９】
こうすることで、電球２０をソケット３０に取り付ける際に、ワイヤ４０が受け口３２０内に入り込んで、口金２２０と受け口３２０とで挟まれてしまうのを抑制することができる。
【０１００】
また、本実施形態では、保護部材２６０は、口金２２０を覆う筒状部２６１を備えており、本体部側から先端２２０ａまでの口金２２０が筒状部２６１の内側に収容されるようにしている。
【０１０１】
こうすれば、より確実にワイヤ４０が口金２２０に接触してしまうのを抑制することができる。
【０１０２】
このとき、筒状部６４１の内径がソケット本体３１０の外径よりも大きくなるようにすれば、アダプタ側口金６３０を受け口３２０内に挿入する前に、ソケット本体３１０の外周が筒状部６４１によって覆われるため、アダプタ６０をソケット３０に取り付ける際に、ワイヤ４０がアダプタ側口金６３０と受け口３２０とで挟まれてしまうのをより確実に抑制することができるようになる。
【０１０３】
このように、本実施形態によれば、アダプタ（ソケット３０に取り付けられる部材）６０の落下を抑制しつつ、アダプタ側口金（ソケット３０に取り付けられる口金）６３０にワイヤ４０が接触してしまうのを抑制することのできる照明装置１０Ａおよびアダプタ６０を得ることができる。また、上記照明装置１０Ａで用いられるアダプタ６０を得ることができる。さらに、上記アダプタ６０に取り付けられるアダプタ側保護部材６４０を得ることができる。
【０１０４】
（第２実施形態）
本実施形態にかかる照明装置１０Ａは、図７に示すように、電球２０Ａとソケット３０とを備えている。
【０１０５】
電球２０Ａは、基本的に上記第１実施形態で示した電球２０とほぼ同様の構成をしている。すなわち、電球２０Ａは、本体部２１０と、本体部２１０に取り付けられる口金２２０と、を備えている。
【０１０６】
本体部２１０は、下側（ソケット３０とは反対側）から上側（ソケット３０側）に向かうにつれて縮径する略筒状に形成されている。すなわち、本体部２１０は、中空を有する略円錐台形状に形成されている。この本体部２１０は、熱伝導性を有する樹脂（例えば、ポリブチレンテレフタレート等）やセラミック等で形成することができる。なお、金属（例えば、アルミニウム等）を用いて本体部２１０を形成することも可能であるし、一部を樹脂やセラミック等で形成しつつ他の部位を金属で形成することも可能である。
【０１０７】
そして、本体部２１０の下側には光源２３０が設けられており、本体部２１０の上側には口金２２０が取り付けられている。
【０１０８】
口金２２０は、略円筒形状をしており外周面に雄ネジ部２２１ａが形成されているシェル２２１と、シェル２２１に絶縁部２２２を介して装着されるアイレット２２３と、を備えている。
【０１０９】
光源２３０は、上記第１実施形態で示した電球２０と同様に、発光素子としてのＬＥＤチップを用いて形成することができる。
【０１１０】
さらに、本実施形態では、本体部２１０の下端に、光透過性を有するドーム型のグローブ２４０が光源２３０を覆うように取り付けられている。このグローブ２４０は、透明のガラスや樹脂等を用いて形成することができる。また、半透明のガラスや樹脂等を用いてグローブ２４０を形成することもできる。
【０１１１】
一方、ソケット３０は、ソケット本体３１０と、ソケット本体３１０に設けられた受け口３２０と、を備えている。
【０１１２】
ソケット本体３１０は、例えば、耐熱性プラスチック等の絶縁材料を用いて形成することができ、長手方向（上下方向）の中程が仕切壁３１１によって仕切られた略円筒状をしている。
【０１１３】
そして、このソケット本体３１０の下側には、下方に開口する凹部が形成されており、この凹部が受け口３２０となっている。
【０１１４】
そして、この受け口３２０内には、シェル受金３２１とアイレット接片３２３とが取り付けられている。
【０１１５】
シェル受金３２１は、筒状雌ネジ部３２１ａを有しており、ソケット本体３１０の仕切壁３１１に小ネジ３３１で固定されている。
【０１１６】
一方、アイレット接片３２３は、短冊状の金属片を屈曲させた形状をしており、仕切壁３１１に小ネジ３３２で片持ち状態で固定されている。
【０１１７】
そして、シェル受金３２１がリード線３３３を介して商用電源等の電源（図示せず）に接続されるとともに、アイレット接片３２３がリード線３３４を介して商用電源等の電源（図示せず）に接続されている。
【０１１８】
ここで、本実施形態にかかる照明装置１０Ａでは、アダプタ６０を介して電球２０Ａをソケット３０に取り付けている。
【０１１９】
このように、電球とソケット３０との間にアダプタ６０を介在させることで、例えば、口金の大きさが受け口３２０の大きさとは異なる電球を、ソケット３０に取り付けることができるようになる。
【０１２０】
また、例えば、リモートコントロールによって明るさの調節等の制御を行うことが可能な装置が内蔵されたアダプタ６０を用いれば、既存の電球を用いた場合であっても、離れた場所から電球の明るさを調節することができるようになる。この場合、ソケット３０に直接取り付けることのできない電球だけでなく、ソケット３０に直接取り付けることのできる電球を用いることもできる。
【０１２１】
また、複数の受け口が形成されたアダプタ６０を用いれば、複数の電球を１つのソケット３０に取り付けることができるようになる。この場合も、ソケット３０に直接取り付けることのできない電球だけでなく、ソケット３０に直接取り付けることのできる電球を用いることができる。
【０１２２】
このように、電球２０Ａとソケット３０の間にアダプタ６０を介在させることで、より簡素な構成で照明装置１０Ａに様々な機能を付与することができる。
【０１２３】
アダプタ６０は、アダプタ本体６１０と、アダプタ本体６１０に形成され、電球２０Ａの口金２２０が取り付けられるアダプタ側受け口６２０と、アダプタ本体６１０に取り付けられ、ソケット３０の受け口３２０に取り付けられるアダプタ側口金６３０と、を備えている。
【０１２４】
アダプタ本体６１０の下側には、下方に開口する凹部が形成されており、この凹部がアダプタ側受け口６２０となっている。
【０１２５】
そして、このアダプタ側受け口６２０内には、口金２２０をアダプタ側受け口６２０に取り付けた際に、シェル２２１が接触するシェル受金６２１と、アイレット２２３が接触するアイレット接片６２３と、が取り付けられている。
【０１２６】
また、アダプタ側口金６３０は、略円筒形状をしており外周面に雄ネジ部６３１ａが形成されているシェル６３１と、シェル６３１に絶縁部６３２を介して装着されるアイレット６３３と、を備えている。
【０１２７】
そして、シェル受金６２１は、図示せぬリード線等によってシェル６３１に接続されており、アイレット接片６２３は、図示せぬ他のリード線等によってアイレット６３３に接続されている。
【０１２８】
さらに、本実施形態では、照明装置１０Ａは、アダプタ（ソケット３０に取り付けられる部材）６０に取り付けられて、当該アダプタ６０の落下を抑制するワイヤ４０を備えている。
【０１２９】
そして、ワイヤ４０がアダプタ側口金（ソケット３０に取り付けられる口金）６３０に接触してしまうのを抑制できるようにしている。
【０１３０】
具体的には、アダプタ本体６１０にアダプタ側保護部材６４０を設け、このアダプタ側保護部材６４０によってアダプタ側口金６３０の周囲が覆われるようにした。
【０１３１】
このアダプタ側保護部材６４０は、上記第１実施形態で示した保護部材２６０と同様に、アダプタ本体６１０とは別体に形成し、このアダプタ側保護部材６４０がアダプタ本体６１０に着脱可能に取り付けられるようにすることができる。なお、アダプタ側保護部材６４０をアダプタ本体６１０に一体に形成することも可能であるし、アダプタ本体６１０とは別体に形成されたアダプタ側保護部材６４０をアダプタ本体６１０に一体化させることも可能である。
【０１３２】
本実施形態では、アダプタ側保護部材６４０は、アダプタ側口金６３０を覆う筒状部６４１を備えている。
【０１３３】
このように、アダプタ側口金６３０の周囲を筒状部６４１で覆うことで、アダプタ６０に取り付けられたワイヤ４０がアダプタ側口金６３０に接触してしまうのを抑制することができる。
【０１３４】
さらに、本実施形態では、筒状部６４１の内径がソケット本体３１０の外径よりも大きくなるようにしている。したがって、アダプタ側口金６３０を受け口３２０に取り付けた状態では、ソケット本体３１０の外周がアダプタ側保護部材６４０の筒状部６４１によって覆われるようになっている。
【０１３５】
また、アダプタ側保護部材６４０の筒状部６４１の先端６４１ａがアダプタ側口金６３０の先端６３０ａよりも上方に位置するようになっている。すなわち、アダプタ側口金６３０の根元側から先端６３０ａまでの全ての部位が、筒状部６４１の内側に収容されるようにしている。
【０１３６】
さらに、本実施形態では、ワイヤ４０が電球２０Ａに絡まってしまうのを抑制できるようにしている。
【０１３７】
具体的には、ワイヤ４０が取り付けられるアダプタ側ワイヤ取付部５０Ａをアダプタ本体６１０およびアダプタ側保護部材６４０とは別体に設けている。
【０１３８】
そして、アダプタ側ワイヤ取付部５０Ａがアダプタ本体６１０およびアダプタ側保護部材６４０に対して相対回転できるように、アダプタ側ワイヤ取付部５０Ａをアダプタ側保護部材６４０に取り付けている。
【０１３９】
本実施形態では、略板状のアダプタ側ワイヤ取付部５０Ａをアダプタ側保護部材６４０に相対回転可能に取り付けている。このアダプタ側ワイヤ取付部５０Ａは、例えば、樹脂や金属等の材料を用いて形成することができる。
【０１４０】
さらに、本実施形態では、アダプタ側ワイヤ取付部５０Ａは、アダプタ側保護部材６４０に挿通される挿通孔５１１Ａが形成された略円環状のアダプタ側取付部本体５１０Ａを備えている。なお、アダプタ側取付部本体５１０Ａは円環状に形成する必要はなく、一部が切り欠かれた略Ｃ字状となるようにすることも可能である。
【０１４１】
そして、このアダプタ側取付部本体５１０Ａには、ワイヤ４０が固定されるアダプタ側ワイヤ固定部５２０Ａが、径外方向に突出するように連設されている。
【０１４２】
さらに、このアダプタ側ワイヤ固定部５２０Ａには貫通孔５２１Ａが形成されており、この貫通孔５２１Ａにワイヤ４０の端部（一端４１０）を挿通させて結びつけることで、ワイヤ４０をアダプタ側ワイヤ固定部５２０Ａに固定している。なお、ワイヤ４０のアダプタ側ワイヤ固定部５２０Ａへの固定方法は、上記の方法に限られるものではなく、様々な方法で固定することができる。例えば、ワイヤ４０の端部（一端４１０）にフック部材を取り付け、当該フック部材をアダプタ側ワイヤ固定部５２０Ａの貫通孔５２１Ａに引っ掛けて係合させるようにすることも可能である。
【０１４３】
一方、アダプタ側保護部材６４０には、アダプタ側ワイヤ取付部５０Ａを相対回転可能に取り付ける被取付部６５０が形成されている。
【０１４４】
本実施形態では、被取付部６５０は、アダプタ側取付部本体５１０Ａの挿通孔５１１Ａに挿通される柱状部５５１Ａと、柱状部５５１Ａの下部から径外方向に突設されて、アダプタ側ワイヤ取付部５０Ａの下方への移動を規制する下側フランジ部５５２と、を備えている。
【０１４５】
さらに、被取付部５５０は、柱状部５５１の上部に取り付けられ、アダプタ側ワイヤ取付部５０Ａの上方への移動を規制する上側フランジ部５５３を備えている。
【０１４６】
そして、本実施形態では、柱状部５５１および下側フランジ部５５２は、アダプタ側保護部材６４０に一体に設けられており、上側フランジ部５５３は、アダプタ側保護部材６４０とは別体に設けられている。なお、柱状部５５１や下側フランジ部５５２をアダプタ側保護部材６４０とは別体に設けることも可能であるし、上側フランジ部５５３をアダプタ側保護部材６４０と一体に設けることも可能である。すなわち、上側フランジ部５５３、柱状部５５１および下側フランジ部５５２のそれぞれを、アダプタ側保護部材６４０と一体に形成することもできるし、アダプタ側保護部材６４０とは別体に形成することもできる。
【０１４７】
さらに、本実施形態では、上側フランジ部５５３は、柱状部５５１の上部に着脱可能に取り付けられている。具体的には、上側フランジ部５５３は略円環状をしており、内面側に雌ネジ部５５３ａが形成されている。そして、柱状部５５１の上部には雄ネジ部５５１ａが形成されており、柱状部５５１の雄ネジ部５５１ａと上側フランジ部５５３の雌ネジ部５５３ａとを螺合させることで、上側フランジ部５５３が柱状部５５１の上部に取り付けられるようにしている。なお、上側フランジ部５５３の柱状部５５１への取付方法は、螺合に限られるものではなく、様々な方法を用いることができる。例えば、嵌合等により上側フランジ部５５３を柱状部５５１に着脱可能に取り付けることが可能である。
【０１４８】
また、アダプタ側保護部材６４０とは別体に形成された上側フランジ部５５３を柱状部５５１に着脱可能に取り付ける必要はなく、溶接や溶着等によって上側フランジ部５５３をアダプタ側保護部材６４０に一体化させることも可能である。
【０１４９】
そして、上側フランジ部５５３を柱状部５５１の上部に取り付けた際には、上側フランジ部５５３と下側フランジ部５５２との間に、円周状の溝５５４が全周にわたって形成されることとなる。そして、この溝５５４内に、アダプタ側取付部本体５１０Ａの少なくとも内周側が収容されるようになっている。
【０１５０】
ここで、本実施形態では、柱状部５５１の溝５５４が形成される部位における外径が、アダプタ側取付部本体５１０Ａの挿通孔５１１Ａの内径よりも小さくなるようにしている。すなわち、柱状部５５１の溝５５４が形成される部位における外面（溝５５４の奥面）とアダプタ側取付部本体５１０Ａの内面との間に隙間が形成されるようにしている。
【０１５１】
さらに、下側フランジ部５５２の外径および上側フランジ部５５３の外径が、アダプタ側取付部本体５１０Ａの挿通孔５１１Ａの内径よりも大きくなるようにしている。
【０１５２】
このような構成とすることで、アダプタ側ワイヤ取付部５０Ａを被取付部５５０に取り付けた際には、アダプタ側取付部本体５１０Ａが、溝５５４から抜けてしまうのが抑制された状態で、溝５５４に沿って相対回転することとなる。
【０１５３】
なお、アダプタ側ワイヤ取付部５０Ａおよび被取付部５５０は、互いに接触した際に比較的大きな摩擦が生じてしまうのを抑制できるようにするのが好ましい。例えば、アダプタ側ワイヤ取付部５０Ａおよび被取付部５５０における少なくとも互いに接触可能な部位を、摩擦係数が比較的小さい材料を用いて形成するのが好ましい。こうすれば、アダプタ側ワイヤ取付部５０Ａおよび被取付部５５０が互いに接触した際に、比較的大きな摩擦が生じてしまうのが抑制されるため、アダプタ側ワイヤ取付部５０Ａをアダプタ側保護部材６４０に対してよりスムーズに相対回転させることができるようになる。
【０１５４】
このアダプタ側ワイヤ取付部５０Ａは、例えば、下記の方法によって被取付部５５０に取り付けることができる。
【０１５５】
まず、上側フランジ部５５３を柱状部５５１から取り外した状態で、アダプタ側取付部本体５１０Ａの挿通孔５１１Ａをアダプタ６０のアダプタ側保護部材６４０にアダプタ側口金６３０側から挿入する。
【０１５６】
次に、上側フランジ部５５３の貫通孔をアダプタ側口金６３０側から挿入して、上側フランジ部５５３の雌ネジ部５５３ａを柱状部５５１の雄ネジ部５５１ａに螺合させて、上側フランジ部５５３を柱状部５５１の上部に取り付ける。
【０１５７】
こうして、アダプタ側ワイヤ取付部５０Ａが被取付部５５０に、抜け止めされた状態で相対回転可能に取り付けられる。
【０１５８】
なお、アダプタ側取付部本体５１０Ａを、例えばゴム等の弾性変形可能な材料で形成し、上側フランジ部５５３を柱状部５５１に取り付けた状態で、アダプタ側ワイヤ取付部５０Ａを被取付部５５０に取り付けられるようにしてもよい。
【０１５９】
このように、本実施形態では、ワイヤ４０を、アダプタ側ワイヤ取付部５０Ａを介してアダプタ側保護部材６４０に相対回転可能に取り付けている。こうすることで、アダプタ６０のソケット３０への着脱の際に、アダプタ６０をソケット３０に対して相対回転させたとしても、ワイヤ４０の一端４１０側が固定されているアダプタ側ワイヤ取付部５０Ａがアダプタ本体６１０およびアダプタ側保護部材６４０に対して相対回転することとなる。このように、アダプタ側ワイヤ取付部５０Ａをアダプタ本体６１０およびアダプタ側保護部材６４０に対して相対回転させるようにすると、アダプタ６０のソケット３０への着脱の際には、アダプタ６０におけるアダプタ側ワイヤ取付部５０Ａ以外の部位のみがソケット３０に対して相対回転することとなる。すなわち、ワイヤ４０の一端４１０側がアダプタ６０の回転に伴って回転してしまうのが抑制されることとなる。その結果、ワイヤ４０がアダプタ６０（アダプタ本体６１０やアダプタ側保護部材６４０等）に絡まってしまうのを抑制することができるようになる。
【０１６０】
なお、被取付部５５０をアダプタ本体６１０に設け、アダプタ側ワイヤ取付部５０Ａをアダプタ本体６１０に相対回転可能に取り付けるようにすることも可能である。
【０１６１】
また、電球２０Ａにワイヤ４０やワイヤ４０とは別のワイヤを取り付けて、電球２０Ａの落下も抑制できるようにすることも可能である。
【０１６２】
以上の本実施形態によっても、上記第１実施形態と同様の作用、効果を奏することができる。
【０１６３】
また、本実施形態にかかる照明装置１０Ａは、アダプタ６０と、アダプタ６０に取り付けられる電球２０Ａと、アダプタ６０が取り付けられるソケット３０と、アダプタ６０の落下を抑制するワイヤ４０と、を備えている。
【０１６４】
また、アダプタ６０は、アダプタ本体６１０と、アダプタ本体６１０に取り付けられ、ソケット３０の受け口３２０に取り付けられるアダプタ側口金６３０と、アダプタ本体６１０に形成され、電球２０Ａの口金２２０が取り付けられるアダプタ側受け口６２０と、を備えている。
【０１６５】
さらに、アダプタ６０は、アダプタ本体６１０に設けられてアダプタ側口金６３０の周囲を覆うアダプタ側保護部材６４０と、ワイヤ４０が取り付けられ、アダプタ側保護部材６４０（アダプタ本体６１０およびアダプタ側保護部材６４０のうち少なくともいずれか一方）に取り付けられるアダプタ側ワイヤ取付部５０Ａと、を備えている。
【０１６６】
そして、アダプタ側ワイヤ取付部５０Ａが、アダプタ本体６１０およびアダプタ側保護部材６４０に対して相対回転可能に取り付けられている。
【０１６７】
こうすることで、ワイヤ４０がアダプタ側口金６３０に接触してしまうのを抑制することができるようになる。さらに、アダプタ６０のソケット３０への着脱の際に、アダプタ６０におけるアダプタ側ワイヤ取付部５０Ａ以外の部位のみをソケット３０に対して相対回転させることができるようになる。その結果、ワイヤ４０の一端４１０側がアダプタ６０の回転に伴って回転してしまうのを抑制することができ、ワイヤ４０がアダプタ６０（アダプタ本体６１０やアダプタ側保護部材６４０等）に絡まってしまうのを抑制することができるようになる。
【０１６８】
そして、ワイヤ４０がアダプタ６０に絡まってしまうことを抑制できるようにすれば、アダプタ６０のソケット３０への着脱作業をより容易に行うことができるようになる。
【０１６９】
また、ワイヤ４０がアダプタ側口金６３０に接触してしまうのを抑制できるようにすれば、アダプタ側口金６３０のシェル６３１とアイレット６３３とが短絡してしまうのを抑制することができるようになる。
【０１７０】
また、本実施形態では、アダプタ側ワイヤ取付部５０Ａがアダプタ側保護部材６４０に相対回転可能に取り付けられている。
【０１７１】
このように、アダプタ側ワイヤ取付部５０Ａがアダプタ側保護部材６４０に取り付けられるようにすることで、ワイヤ４０のアダプタ側口金６３０への接触を抑制するアダプタ側保護部材６４０が設けられたアダプタ６０に、より容易にアダプタ側ワイヤ取付部５０Ａを取り付けることができるようになる。
【０１７２】
また、本実施形態では、アダプタ側ワイヤ取付部５０Ａは、アダプタ側保護部材６４０の筒状部６４１（アダプタ側ワイヤ取付部５０Ａが取り付けられる部位）に形成された円周状の溝５５４に沿って相対回転するアダプタ側取付部本体５１０Ａを備えている。さらに、アダプタ側ワイヤ取付部５０Ａは、アダプタ側取付部本体５１０Ａに設けられてワイヤ４０が固定されるアダプタ側ワイヤ固定部５２０Ａを備えている。
【０１７３】
こうすれば、より簡素な構成で、アダプタ側ワイヤ取付部５０Ａを、アダプタ本体６１０およびアダプタ側保護部材６４０に対して相対回転可能に取り付けることができる。
【０１７４】
また、本実施形態では、アダプタ側取付部本体５１０Ａが円環状をしており、アダプタ側取付部本体５１０Ａの少なくとも内周側が溝５５４内に収容されている。
【０１７５】
こうすれば、アダプタ側ワイヤ取付部５０Ａを、アダプタ側保護部材６４０に対してよりスムーズに相対回転させることができるようになる。
【０１７６】
また、本実施形態では、ソケット３０は、ソケット本体３１０と、ソケット本体３１０に設けられてアダプタ側口金６３０が取り付けられる受け口３２０と、を備えている。
【０１７７】
そして、アダプタ側保護部材６４０が、アダプタ側口金６３０を受け口３２０に取り付けた状態で、ソケット本体３１０の外周を覆うようにしている。
【０１７８】
こうすることで、アダプタ６０をソケット３０に取り付ける際に、ワイヤ４０が受け口３２０内に入り込んで、アダプタ側口金６３０と受け口３２０とで挟まれてしまうのを抑制することができる。
【０１７９】
また、本実施形態では、アダプタ側保護部材６４０は、アダプタ側口金６３０を覆う筒状部６４１を備えており、根元側から先端６３０ａまでのアダプタ側口金６３０が筒状部６４１の内側に収容されるようにしている。
【０１８０】
こうすれば、より確実にワイヤ４０がアダプタ側口金６３０に接触してしまうのを抑制することができる。
【０１８１】
このとき、筒状部２６１の内径がソケット本体３１０の外径よりも大きくなるようにすれば、口金２２０を受け口３２０内に挿入する前に、ソケット本体３１０の外周が筒状部２６１によって覆われるため、電球２０をソケット３０に取り付ける際に、ワイヤ４０が口金２２０と受け口３２０とで挟まれてしまうのをより確実に抑制することができるようになる。
【０１８２】
また、本実施形態では、保護部材２６０を本体部２１０とは別体に形成している。
【０１８３】
こうすることで、より容易に保護部材２６０の形状を所望の形状とすることができるようになる。
【０１８４】
また、本実施形態では、保護部材２６０が本体部２１０に着脱可能に取り付けられている。
【０１８５】
こうすることで、用途に応じて保護部材２６０を電球２０に取り付けたり、電球２０から取り外したりすることができるようになる。また、保護部材２６０が破損等した場合に、保護部材２６０のみ交換することができるようになる。
【０１８６】
また、本実施形態にかかる保護部材２６０は、電球２０の本体部２１０に取り付けられる取付部２６２と、取付部２６２に連設されて、当該取付部２６２を本体部２１０に取り付けた状態で本体部２１０に取り付けられた口金２２０の周囲を覆い、電球２０に取り付けられたワイヤ４０と口金２２０との接触を抑制する筒状部２６１と、を備えている。
【０１８７】
さらに、保護部材２６０の筒状部２６１には、電球側ワイヤ取付部５０を相対回転可能に取り付ける被取付部２５０が形成されている。
【０１８８】
このような保護部材２６０を用いることで、電球２０のソケット３０への着脱の際等に、ワイヤ４０が口金２２０に接触してしまうのを抑制しつつ、ワイヤ４０が保護部材２６０に絡まってしまうのを抑制することができるようになる。
【０１８９】
このように、本実施形態によれば、電球（ソケット３０に取り付けられる部材）２０の落下を抑制しつつ、口金（ソケット３０に取り付けられる口金）２２０にワイヤ４０が接触してしまうのを抑制することのできる照明装置１０および電球２０を得ることができる。また、上記照明装置１０で用いられる電球２０を得ることができる。さらに、上記電球２０に取り付けられる保護部材２６０を得ることができる。
【０１９０】
以上、本発明の好適な実施形態について説明したが、本発明は上記実施形態には限定されず、種々の変形が可能である。
【０１９１】
例えば、上記各実施形態では、ＬＥＤを光源として用いた電球を例示したが、電球として白熱電球を用いることも可能である。また、半導体光源等の発光素子を光源として用いることも可能である。
【０１９２】
また、電球側ワイヤ取付部やアダプタ側ワイヤ取付部の形状は、上記各実施形態で示したもの（略円環状）に限られるものではない。例えば、保護部材やアダプタ側保護部材等にカーテンレール状の溝を全周にわたって形成するとともに、当該溝にクリップ部をスライド可能に取り付け、当該クリップ部を、電球側ワイヤ取付部やアダプタ側ワイヤ取付部として機能させるようにすることが可能である。
【０１９３】
また、上記各実施形態では、照明装置として天井吊りの露出型照明装置を例示したが、これに限らず、例えば、天井埋め込み型の照明装置等、様々なタイプの照明装置に適用することができる。
【０１９４】
また、本体部やソケット本体、その他細部のスペック（形状、大きさ、レイアウト等）も適宜に変更可能である。
【符号の説明】
【０１９５】
１０，１０Ａ  照明装置
２０，２０Ａ  電球
２１０  本体部
２２０  口金
２５４  溝
２６０  保護部材
２６１  筒状部
２６２  取付部
３０，３０Ａ  ソケット
３１０  ソケット本体
４０  ワイヤ
４１０  一端
４２０  他端
５０  電球側ワイヤ取付部
５０Ａ  アダプタ側ワイヤ取付部
５１０  電球側取付部本体
５１０Ａ  アダプタ側取付部本体
５２０  電球側ワイヤ固定部
５２０Ａ  アダプタ側ワイヤ固定部
６０  アダプタ
６１０  アダプタ本体
６２０  アダプタ側受け口
６３０  アダプタ側口金
６４０  アダプタ側保護部材
【図１】
0006624568.tif 000002
【図２】
0006624568.tif 000003
【図３】
0006624568.tif 000004
【図４】
0006624568.tif 000005
【図５】
0006624568.tif 000006
【図６】
0006624568.tif 000007
【図７】
0006624568.tif 000008